(57)【要約】      （修正有）【課題】座り心地のよい揺り椅子を提供する。【解決手段】揺り椅子１は、人が着座する部分の全部を含めて曲面形状に一体成形されたフレーム２と、フレーム２の内側に、緩衝材、シート用貼り地の順で固着され人が着座する座面を含むシートと、フレーム２の外側側面に取付ビス４，４で固定され円弧状に形成された曲面５１によって揺りを実現できるようにしたロッキングプレート５とから構成される。【選択図】図２
0003169278.tif 000002
【実用新案登録請求の範囲】
【請求項１】
人が着座する座面の全部を含めて特殊な曲面に一体成形されたフレームと、
前記フレームの内側に、緩衝材、シート用貼り地の順で固着され人が着座する座面を含むシートと、
前記フレームの外側側面に取付ビスで固定され円弧状に形成された曲面によって揺りを実現できるようにしたロッキングプレートとを備えた揺り椅子であって、
前記フレーム及び前記シートは、特殊な曲面に構成されていて、人が前記シートの座面に着座したときに、頭部、背部、腰部、臀部、太股部の全部が前記シートの座面の全体に全て接触して包まれているような曲面形状に構成されたことを特徴とする揺り椅子。
【考案の詳細な説明】
【技術分野】
【０００１】  本考案は揺り椅子に係り、特にフレームの内側のシートの着座面を特殊な曲面に構成し、かつ揺りを実現するロッキングプレートをフレームに固定してなる揺り椅子に関する。
【背景技術】
【０００２】  従来の揺り椅子は、方形の座席と、前記座席に対して一定角度を持たせて連接された背もたれと、前記座席の四隅であって前記座席の着座面とは反対側（下側）に延長固定された支持足と、支持足の底部に固定され円弧形状に形成されていて揺りを実現するロッキングプレートと、背もたれの左右に固定され背もたれから延長され固定された手摺りとからなるものが知られている（特許文献１）。
【先行技術文献】
【特許文献】
【０００３】
【特許文献１】  実用新案登録第３１０９２４９号
【考案の概要】
【考案が解決しようとする課題】
【０００４】  しかしながら、従来の揺り椅子では、座席と背もたれとが一定角度で連接されていたため、座席と背もたれの角度を変えたとしても、二つの面で体を支えることになることには変わりなく、座り心地がよいとはいえないものであった。
本考案は、上述した従来技術の不都合を解消し、座り心地のよい揺り椅子を提供することを目的とする。
【課題を解決するための手段】
【０００５】  上記目的を達成するために、本考案に係る揺り椅子は、人が着座する座面の全部を含めて特殊な曲面に一体成形されたフレームと、前記フレームの内側に、緩衝材、シート用貼り地の順で固着され人が着座する座面を含むシートと、前記フレームの外側側面に取付ビスで固定され円弧状に形成された曲面によって揺りを実現できるようにしたロッキングプレートとを備え、前記フレーム及び前記シートは、特殊な曲面に構成されていて、人が前記シートの座面に着座したときに、頭部、背部、腰部、臀部、太股部の全部が前記シートの座面の全４に全て接触して包まれているような曲面形状に構成されたことを特徴とするものである。
【考案の効果】
【０００６】  本考案によれば、シートの着座面が特殊な曲面に構成されていて、人が前記シートに着座したときに、頭部、背部、腰部、臀部、太股部の全部が前記シートの着座面に全て接触して包まれているような状態になるため、座り心地が非常によく、また、主な材料がフレームとロッキングプレートとからなるため、材料費が少なくて済むという効果がある。
【図面の簡単な説明】
【０００７】
【図１】  本考案に係る揺り椅子を示す正面図である。
【図２】  本考案に係る揺り椅子を示す側面図である。
【図３】  本考案に係る揺り椅子を構成するフレームの図１のＡ−Ａ線断面図である。
【考案を実施するための形態】
【０００８】  本考案に係る揺り椅子１は、図１ないし図３に示すように、人が着座する部分の全部を含めて特殊な曲面に一体成形されたフレーム２と、前記フレーム２の内側に、スポンジ等の緩衝材３１、シート用貼り地３２の順で固着され人が着座する座面を含むシート３と、前記フレーム２の外側側面に取付ビス４，４で固定され円弧状に形成された曲面５１によって揺りを実現できるようにしたロッキングプレート５とから構成されている。また、前記フレーム２及び前記シート３は、図３に示す断面図のような特殊な曲面に構成されていて、人が前記シート３の座面３３に着座したときに、頭部、背部、腰部、臀部、太股部の全部が前記シート３の座面３３の全体に全て接触して包まれているような曲面形状に構成されたものである。
【０００９】  さらに説明すると、フレーム２は、ファイバーグラス・レインホースト・プラスチック（ＦＲＰ）で図１ないし図３に示すように一体的に構成されたものであって、図示縦方向の断面が図３に示すような特殊な曲面に構成されていて、図示横方向の断面が上側から下側にかけて凹状に形成されていて座面３３となる平曲面の両側に起立片２１，２１が設けられたような形状とされている。
【００１０】  このフレーム２の座面３３となる平曲面部分全部と、起立片２１，２１の内側から起立片２１，２１の頂部２２にわたってかつ図示上から下まで、要は前記フレーム２の内側全体面にスポンジ等の緩衝材３１、シート用貼り地３２の順で固着することにより前記シート３を形成している。
【００１１】  ロッキングプレート５は、所定の厚みのある耐水性合板からなり、図２に示すように、耐水性合板の一つの端面を円弧状に形成して曲面５１とし、かつ、耐水性合板の他の端面に長辺５２と、短辺５３とを形成し、ある種の変形な三角形状に形成されている。また、ロッキングプレート５は、図１及び図２に示すように位置関係でフレーム２の両外側に取付ビス４，４で固定されている。
【実施例】
【００１２】  本実施例を実現させるために、各部の寸法について説明する。なお、この数値は本実施例を実現する場合の一例であって、これに限定されるものではない。
本実施例に係る揺り椅子１において、各部の幅は、図１に示すように、Ｗ１が１８０〔ｍｍ〕、Ｗ２が５５０〔ｍｍ〕、Ｗ３が４５０〔ｍｍ〕、Ｗ４が４８０〔ｍｍ〕、Ｗ５が３４０〔ｍｍ〕としている。
また、図１に示すように、座面３３下側の高さＨ１が２８０〔ｍｍ〕、起立辺２１，２１の下側の高さＨ２が３９０〔ｍｍ〕、Ｈ３が２２０〔ｍｍ〕としている。
フレーム２の頂部から床面までの高さＨ４は、図２に示すように、８４０〔ｍｍ〕としている。また、ロッキングプレート５，５の外側までの幅Ｗ６は、図１に示すように、４３０〔ｍｍ〕としている。ロッキングプレート５，５の長さＬ１は、図２に示すように、７４５〔ｍｍ〕としている。
さらに、フレーム２の縦の端から端までの長さＬ２は、図３に示すように、１０３０〔ｍｍ〕としている。
【符号の説明】
【００１３】１  揺り椅子
２  プレート
３  シート
４  取付ビス
５  ロッキングプレート
２１  起立片
２２  頂部
３１  緩衝材
３２  シート用貼り地
３３  座面
【図１】
0003169278.tif 000003
【図２】
0003169278.tif 000004
【図３】
0003169278.tif 000005
【手続補正書】
【提出日】平成23年4月27日(2011.4.27)
【手続補正１】
【補正対象書類名】実用新案登録請求の範囲
【補正対象項目名】請求項１
【補正方法】変更
【補正の内容】
【請求項１】
人が着座する座面の全部を含めて曲面形状に一体成形されたフレームと、
前記フレームの内側に、緩衝材、シート用貼り地の順で固着され人が着座する座面を含むシートと、
前記フレームの外側側面に取付ビスで固定され円弧状に形成された曲面によって揺りを実現できるようにしたロッキングプレートとを備えたことを特徴とする揺り椅子。